(57)【特許請求の範囲】
【請求項１】
放送内容を含む有効シンボルの区間と、当該有効シンボルの一部を複製したガードインターバルの区間とを有する放送信号を受信する受信装置であって、
前記放送信号を受信する受信手段と、
前記受信手段によって受信された前記放送信号における前記有効シンボルの前記一部に対応する区間の信号レベルから前記ガードインターバルの区間の信号レベルを減算する減算手段と、
前記減算手段による減算結果の絶対値を所定の閾値と比較し、当該減算結果の絶対値が前記所定の閾値以下となる前記ガードインターバルの区間を、前記有効シンボルの前記一部へ合成する前記ガードインターバルの区間として決定する決定手段と、
前記決定手段によって決定された区間の前記ガードインターバルと当該ガードインターバルの複製元となった前記有効シンボルとを０．５倍に増幅して合成する合成手段と
を備えたことを特徴とする受信装置。
【請求項２】
前記受信手段によって受信された前記放送信号を前記有効シンボルの区間に相当する時間遅延させる遅延手段
をさらに備え、
前記減算手段は、
前記遅延手段による遅延前の前記放送信号における前記有効シンボルの信号レベルから前記遅延手段による遅延後の前記放送信号における前記ガードインターバルの信号レベルを減算する
ことを特徴とする請求項１に記載の受信装置。
【請求項３】
前記決定手段は、
前記ガードインターバルの区間を所定数に分割した分割区間のそれぞれにおいて前記減算手段による減算結果を移動平均した値と前記所定の閾値とを比較する
ことを特徴とする請求項１または請求項２に記載の受信装置。
【請求項４】
放送内容を含む有効シンボルの区間と、当該有効シンボルの一部を複製したガードインターバルの区間とを有する放送信号を受信する受信装置による受信方法であって、
前記放送信号を受信する受信工程と、
前記受信工程によって受信された前記放送信号における前記有効シンボルの前記一部に対応する区間の信号レベルから前記ガードインターバルの区間の信号レベルを減算する減算工程と、
前記減算工程による減算結果の絶対値を所定の閾値と比較し、当該減算結果の絶対値が前記所定の閾値以下となる前記ガードインターバルの区間を、前記有効シンボルの前記一部へ合成する前記ガードインターバルの区間として決定する決定工程と、
前記決定工程によって決定された区間の前記ガードインターバルと当該ガードインターバルの複製元となった前記有効シンボルとを０．５倍に増幅して合成する合成工程と
を含むことを特徴とする受信方法。
【発明の詳細な説明】
【技術分野】
【０００１】
本発明は、受信装置および受信方法に関するものであり、特に、マルチパスの影響のないガードインターバルと有効シンボルとを合成でき、且つ、回路規模を縮小可能な受信装置および受信方法に関する。
【背景技術】
【０００２】
従来、デジタルテレビ放送信号（以下、「放送信号」という）を送信する放送局は、放送内容を含む有効シンボルのマルチパスに対する耐性を向上させるため、各有効シンボルへガードインターバルを付加して送信している。たとえば、放送局は、各有効シンボルの後尾部分を複製したガードインターバルを各有効シンボルの先頭へ付加して送信している。
【０００３】
ところで、放送信号を受信する受信装置は、有効シンボルにガードインターバルが付加された放送信号を受信した場合、有効シンボルの後尾部分を重複して受信することになる。したがって、受信装置は、受信したガードインターバルと有効シンボルの後尾部分とを合成することでガードインターバルを有効利用し、受信特性を向上させることができる。
【０００４】
ただし、受信装置は、マルチパスが生じた場合、放送信号とともにマルチパスの影響により遅延が生じた放送信号（以下、「遅延信号」という）を受信する。かかる場合、ガードインターバルには、隣接する他の有効シンボルの一部が重畳されていることがある。
【０００５】
したがって、受信装置は、マルチパスが生じている場合、ガードインターバルと有効シンボルの後尾部分とを合成すると、隣接する他の有効シンボルの影響で受信特性が低下することがある。
【０００６】
そこで、マルチパスの影響を考慮しつつ、ガードインターバルと有効シンボルの後尾部分とを合成する受信装置もある。たとえば、特許文献１に記載の受信装置は、受信した放送信号に対する遅延信号の遅延量を測定する遅延プロファイル部を備え、遅延信号の遅延量が所定の閾値未満である場合に、マルチパスの影響が低いと判定する。
【０００７】
そして、特許文献１に記載の受信装置は、マルチパスの影響が低いと判定した場合にのみ有効シンボルの後尾部分とガードインターバルとを合成することで、マルチパスの影響を考慮しつつ、ガードインターバルを有効利用して受信特性を向上させている。
【先行技術文献】
【特許文献】
【０００８】
【特許文献１】特開２００６−３０４１５２号公報
【発明の概要】
【発明が解決しようとする課題】
【０００９】
しかしながら、特許文献１に記載の受信装置は、遅延プロファイル部を設ける必要があるため、回路規模が増大するという問題があった。また、特許文献１に記載の受信装置は、遅延プロファイル部が遅延信号の遅延量を測定するためにガードインターバルおよび有効シンボルを複数受信するだけの時間を要する。
【００１０】
このため、特許文献１に記載の受信装置は、遅延プロファイル部による遅延量の測定中に受信した複数のガードインターバルおよび有効シンボルを一時記憶しておくためのバッファを設ける必要がある。したがって、特許文献１に記載の受信装置は、かかるバッファによっても回路規模が増大する。
【００１１】
これらのことから、有効シンボルとマルチパスの影響のないガードインターバルとを合成でき、且つ、回路規模を縮小可能な受信装置および受信方法をいかにして実現するかが大きな課題となっている。
【００１２】
本発明は、上述した従来技術による問題点を解消するためになされたものであって、有効シンボルとマルチパスの影響のないガードインターバルとを合成でき、且つ、回路規模を縮小可能な受信装置および受信方法を提供することを目的とする。
【課題を解決するための手段】
【００１３】
上述した課題を解決し、目的を達成するために、本発明は、放送内容を含む有効シンボルの区間と、当該有効シンボルの一部を複製したガードインターバルの区間とを有する放送信号を受信する受信装置であって、前記放送信号を受信する受信手段と、前記受信手段によって受信された前記放送信号における前記有効シンボルの前記一部に対応する区間の信号レベルから前記ガードインターバルの区間の信号レベルを減算する減算手段と、前記減算手段による減算結果に基づく値を所定の閾値と比較し、当該減算結果に基づく値が前記所定の閾値以下となる前記ガードインターバルの区間を、前記有効シンボルの前記一部へ合成する前記ガードインターバルの区間として決定する決定手段とを備えたことを特徴とする。
【発明の効果】
【００１４】
本発明によれば、受信装置は、受信した放送信号における有効シンボルの一部に対応する区間の信号レベルからガードインターバルの区間の信号レベルを減算して所定の閾値と比較するだけで、マルチパスの影響がないガードインターバルの区間を決定することができるため、遅延プロファイル部を設けなくても有効シンボルとマルチパスの影響のないガードインターバルとを合成でき、且つ、回路規模を縮小することができるという効果を奏する。
【図面の簡単な説明】
【００１５】
【図１】図１は、本発明に係る受信手法の概要を示す図である。
【図２】図２は、本実施例に係る受信装置を示すブロック図である。
【図３】図３は、本実施例に係る受信装置の合成部の構成を示す図である。
【図４】図４は、本実施例に係る受信装置の合成部の動作を示す図である。
【図５】図５は、本実施例に係る受信装置の合成部の動作を示す図である。
【図６】図６は、本実施例に係る受信装置の合成部の動作を示す図である。
【図７】図７は、本実施例に係る受信装置の合成部の動作を示す図である。
【発明を実施するための形態】
【００１６】
以下に添付図面を参照して、本発明に係る受信装置および受信方法の実施例を詳細に説明する。まず、実施例の詳細な説明に先立って、本発明に係る受信手法の概要について図１を用いて説明する。図１は、本発明に係る受信手法の概要を示す図である。
【００１７】
以下では、図１（Ａ）に示すように、放送内容を含む有効シンボルＳＹの区間と、有効シンボルＳＹの後尾部分を複製したガードインターバルＧＩの区間とを備えた放送信号ａを受信する場合について説明する。なお、同図（Ａ）に示すように、ガードインターバルＧＩは、有効シンボルＳＹの先頭に付加されているものとする。
【００１８】
本発明に係る受信手法は、マルチパスが生じた場合であっても、遅延プロファイリングを行うことなく、有効シンボルＳＹとマルチパスの影響のない区間のガードインターバルＧＩとを合成することを可能としている。
【００１９】
具体的には、本発明に係る受信手法では、図１（Ｂ）に示すように、放送信号ａを受信すると、放送信号ａを所定時間遅延させ、遅延前の放送信号ａにおける後尾部分の区間と、遅延後の放送信号ａにおけるガードインターバルＧＩの区間とを一致させる。
【００２０】
続いて、本発明に係る受信手法では、遅延前の放送信号ａにおける有効シンボルＳＹの区間の信号レベルから遅延後の放送信号ａにおけるガードインターバルＧＩの区間の信号レベルを減算する。
【００２１】
ここで、マルチパスの影響が無い区間では、遅延前の有効シンボルＳＹの後尾部分の信号と、遅延後のガードインターバルＧＩの信号とは、伝送路の影響で多少の違いはあるものの、同一のデータを含む信号である。
【００２２】
このため、遅延前の有効シンボルＳＹの後尾部分の信号および遅延後のガードインターバルＧＩの信号は、ほぼ同一波形の信号である。このため、減算結果は、「０」に近い値となる。
【００２３】
一方、マルチパスの影響が有る区間では、ガードインターバルＧＩに他の有効シンボルＳＹａの成分が重畳されているため、有効シンボルＳＹの波形とガードインターバルＧＩの波形とは明らかに異なる。したって、マルチパス影響有りの区間では、減算結果は、マルチパス影響無しの区間ほど「０」へ近付くことはない。
【００２４】
このため、本発明に係る受信手法では、減算結果に基づく値を所定の閾値と比較し、減算結果に基づく値が所定の閾値以下となった区間を、マルチパスの影響のないガードインターバルＧＩの区間と判定する。なお、減算結果に基づく値としては、減算結果の絶対値等を用いることができる。
【００２５】
そして、本発明に係る受信手法では、かかるマルチパスの影響の無い区間と判定したガードインターバルの区間を、有効シンボルＳＹと合成するガードインターバルＧＩの区間（合成区間）として決定する。
【００２６】
このように、本発明に係る受信手法では、マルチパスが生じた場合であっても、放送信号ａの遅延プロファイリングを行うことなく、有効シンボルＳＹと合成するマルチパスの合成区間を決定ことができる。
【００２７】
たとえば、マルチパスが生じた場合、本発明に係る受信手法では、図１（Ｃ）に示すように、放送信号ａを受信した際、放送信号ａとともにマルチパスの影響で遅延が生じた放送信号ａ（以下、「遅延信号ｂ」という）を受信することがある。
【００２８】
かかる場合、図１（Ｃ）に示すように、受信された放送信号ａのガードインターバルＧＩには、マルチパス影響無しの区間と、他の有効シンボルＳＹａの成分が重畳されたマルチパス影響有りの区間とが存在する。このように、他の有効シンボルＳＹａの成分が重畳されたガードインターバルＧＩと有効シンボルＳＹとを合成した場合、他の有効シンボルＳＹａの影響で受信特性が低下する。
【００２９】
そこで、本発明に係る受信手法では、上記した手法によってガードインターバルＧＩにおけるマルチパス影響無しの区間を判定し、判定した区間をガードインターバルＧＩの合成区間として決定する。
【００３０】
すなわち、本発明に係る受信手法では、図１（Ｄ）に示すように、受信した放送信号ａを所定時間遅延させ、遅延前の有効シンボルＳＹの信号レベルから遅延後のガードインターバルＧＩの信号レベルを減算する。
【００３１】
ここでは、図１（Ｄ）に示すように、マルチパス影響無しの区間の減算結果の方が、マルチパス影響ありの区間の減算結果よりも「０」に近い値をとっている。
【００３２】
このため、本発明に係る受信手法では、減算結果に基づく値を所定の閾値と比較し、減算結果に基づく値が所定の閾値以下となったガードインターバルＧＩの区間をガードインターバルＧＩの合成区間として決定する。
【００３３】
なお、本発明に係る受信手法は、放送信号ａに重畳されるホワイトノイズ等の影響を考慮し、減算結果に基づく値を平滑化処理した値と所定の閾値とを比較することもできる。かかる平滑化については、後述の実施例において説明する。
【００３４】
上述したように、本発明に係る受信手法では、放送信号ａにおける有効シンボルＳＹの後尾部分の信号レベルからガードインターバルＧＩの信号レベルを減算し、減算結果に基づく値を所定の閾値と比較する。
【００３５】
そして、本発明に係る受信手法では、かかる減算結果に基づく値が所定の閾値以下となるガードインターバルＧＩの区間を、有効シンボルＳＹａへ合成するガードインターバルＧＩの合成区間として決定する。
【００３６】
これにより、本発明に係る受信手法によれば、受信装置に遅延プロファイル部を設けなくとも、有効シンボルＳＹとマルチパスの影響のない区間のガードインターバルＧＩとを合成することができる。したがって、受信装置の回路規模を縮小することができる。
【００３７】
以下では、図１を用いて説明した受信手法を適用した受信装置および受信方法についての実施例を詳細に説明する。なお、以下では、受信装置の一例として、ＯＦＤＭ（Orthogonal  Frequency  Division  Multiplexing）方式が適用されたデジタルテレビ放送の放送信号を受信する受信装置を用いて説明する。
【００３８】
なお、本発明は、ＯＦＤＭ方式が適用された放送信号を受信する受信装置に限るものではなく、有効シンボルの区間とガードインターバルの区間とを有する任意の放送信号を受信する受信装置へ適用することができる。
【実施例】
【００３９】
図２は、本実施例に係る受信装置１を示すブロック図である。なお、同図では、受信装置１の特徴を説明するために必要な構成要素のみを示しており、一般的な構成要素についての記載を省略している。
【００４０】
図２に示すように、受信装置１は、受信部２と、合成部３と、ＦＦＴ部４と、復調部５とを備えている。そして、受信装置１は、放送内容を含む有効シンボルの区間と有効シンボルの一部を複製したガードインターバルの区間とを有する放送信号をアンテナにより受信し、受信した放送信号を所定の出力装置６へ出力する装置である。
【００４１】
ここで、受信部２は、アンテナから所定の周波数帯域で放送信号を受信し、受信した放送信号を検波・増幅する処理部である。そして、受信部２は、検波・増幅したアナログの放送信号をデジタルの放送信号へ変換し、合成部３へ出力する。
【００４２】
また、合成部３は、受信部２から入力される放送信号における有効シンボルの区間の放送信号と、ガードインターバルの区間の放送信号とを加算することで合成し、合成後の放送信号をＦＦＴ部４へ出力する処理部である。
【００４３】
特に、合成部３は、ガードインターバルの区間内でマルチパスの影響のない区間、すなわち、シンボル間干渉が生じていない区間の信号を有効シンボルと合成することで放送信号の受信特性を向上させる処理部である。かかる合成部３の具体的な構成および動作については、後述する。
【００４４】
また、ＦＦＴ部４は、合成部３から入力される放送信号をＦＦＴ（Fast  Fourier  Transform：高速フーリエ変換）することにより、時間領域における放送信号を周波数領域におけるシンボル（信号点）からなる放送信号に変換し、復調部５へ出力する処理部である。
【００４５】
復調部５は、ＦＦＴ部４から入力される放送信号をＯＦＤＭ復調し、復調後の放送信号を所定の出力装置６へ出力する処理部である。なお、出力装置６は、たとえば、デジタルテレビ放送の映像を表示するディスプレイ装置やデジタルテレビ放送の音声を出力するスピーカである。
【００４６】
次に、図３を用いて、本実施例に係る受信装置１の合成部３について説明する。図３は、本実施例に係る受信装置１の合成部３の構成を示す図である。図３に示すように、合成部３は、遅延部３１と、増幅部３２、３３と、減算部３４と、加算範囲決定部３５と、加算部３６とを備えている。
【００４７】
同図に示す遅延部３１は、受信部２から入力される放送信号を所定時間遅延させる処理部である。具体的には、遅延部３１は、放送信号を有効シンボルの区間に相当する時間だけ遅延させ、遅延後の放送信号を増幅部３３および減算部３４へ出力する。
【００４８】
増幅部３２は、加算範囲決定部３５から所定の制御信号が入力されている期間に、受信部２から入力される放送信号を０．５倍に増幅して加算部３６へ出力する処理部である。
【００４９】
なお、増幅部３２は、加算範囲決定部３５から所定の制御信号が入力されない期間では、受信部２から入力される放送信号をそのまま加算部３６へ出力する。
【００５０】
増幅部３３は、遅延部３１から入力される放送信号を０．５倍に増幅し、増幅後の放送信号を加算部３６へ出力する処理部である。
【００５１】
減算部３４は、受信部２より入力される放送信号の信号レベルから、遅延部３１より入力される放送信号の信号レベルを減算し、減算結果を加算範囲決定部３５へ出力する処理部である。
【００５２】
加算範囲決定部３５は、減算部３４から入力される減算結果に基づき、有効シンボルと合成（加算）するガードインターバルの区間（以下、「合成区間」という）を決定する処理部である。
【００５３】
かかる加算範囲決定部３５は、ガードインターバルの区間内でマルチパスの影響によるシンボル間干渉が発生していない区間を判定し、かかる区間をガードインターバルの合成区間として決定する。
【００５４】
また、加算範囲決定部３５は、決定した合成区間に対応する期間にのみ、加算部３６および増幅部３２へ所定の制御信号を出力する。なお、かかる加算範囲決定部３５による合成区間の決定手順の詳細については、後述する。
【００５５】
加算部３６は、増幅部３２および増幅部３３から入力される放送信号の各信号レベルを加算することにより、ガードインターバルと有効シンボルとを合成する処理部である。
【００５６】
かかる加算部３６は、加算範囲決定部３５から制御信号が入力されている期間にのみ増幅部３２および増幅部３３から入力される放送信号の各信号レベルを加算してＦＦＴ部４へ出力する。
【００５７】
一方、加算部３６は、加算範囲決定部３５から制御信号が入力されない期間では、増幅部３２から入力される放送信号、すなわち、遅延部３１による遅延が行われていない放送信号をＦＦＴ部４へ出力する。
【００５８】
ここで、図３に示す合成部３の動作について、図３および図４〜図７を用いて説明する。図４〜図７は、本実施例に係る受信装置１の合成部３の動作を示す図である。
【００５９】
ここでは、マルチパスの影響により到来時刻が変化した３つの同じ放送信号の成分を含む放送信号を受信装置１が受信した場合について説明する。また、ここでは、ガードインターバルの受信に要する時間をｔとする。
【００６０】
なお、以下の説明では、受信装置１によって受信された放送信号を受信波Ａ、受信対象の放送信号を希望波Ｂ、希望波Ｂよりも１／３ｔ後に到来した放送信号を遅延波Ｃ、希望波Ｂよりも１／３ｔ前に到来した放送信号を先行波Ｄという。
【００６１】
図４（Ａ）に示すように、受信装置１は、有効シンボルＳＹの先頭に有効シンボルＳＹの後尾部分のデータｓｙを複製したガードインターバルＧＩが付加された希望波Ｂを受信する際、受信波Ａを受信する。
【００６２】
かかる受信波Ａには、希望波Ｂよりも到来時間が１／３ｔ遅い遅延波Ｃ、および、希望波Ｂよりも到来時間が１／３ｔ早い先行波Ｄの成分が含まれている。
【００６３】
ここで、希望波Ｂ、遅延波Ｃ、先行波Ｄがいずれも同一の放送信号、すなわち、同一のガードインターバルＧＩおよび有効シンボルＳＹを含む放送信号であったとする。
【００６４】
かかる場合、図４（Ｂ）に示すように、受信波Ａには、遅延波Ｃおよび先行波Ｄの成分が重畳されている。具体的には、受信波ＡのガードインターバルＧＩの先頭部分（１／３ｔに相当する区間）には、遅延波ＣのガードインターバルＧＩよりも前に受信された他の有効シンボルＳＹａの成分１０（以下、「ＳＹａの成分１０」という）が重畳されている。
【００６５】
また、受信波Ａの有効シンボルＳＹの後尾部分（１／３ｔに相当する区間）には、先行波Ｄの有効シンボルＳＹよりも後に受信されたガードインターバルＧＩｂの成分１１（以下、「ＧＩｂの成分１１」という）が重畳されている。
【００６６】
すなわち、受信波ＡのガードインターバルＧＩにおけるＳＹａの成分１０が重畳されている区間、および、受信波Ａの有効シンボルＳＹにおけるＧＩｂの成分１１が重畳されている区間は、マルチパスによるシンボル間干渉の影響がある区間（以下、「マルチパス影響有り区間」という）となる。
【００６７】
かかる場合、受信装置１では、受信波ＡのガードインターバルＧＩと有効シンボルＳＹとを合成すると、ＳＹａの成分１０の影響により希望波Ｂの受信特性が低下する。
【００６８】
そこで、受信装置１では、合成部３が受信波ＡのガードインターバルＧＩの区間内で、マルチパスによるシンボル間干渉の影響がない区間（以下、「マルチパス影響無し区間」という）を判定する。そして、合成部３は、判定したマルチパス影響無し区間を、ガードインターバルＧＩの合成区間として決定する。
【００６９】
特に、合成部３は、受信波Ａに対する遅延波Ｃおよび先行波Ｄの遅延プロファイリングを行うことなく、受信波ＡにおけるガードインターバルＧＩのマルチパス影響無し区間を判定する。
【００７０】
具体的には、合成部３は、図３に示すように、受信部２から受信波Ａが入力されると、受信波Ａを遅延部３１、増幅部３２、減算部３４へ入力させる。
【００７１】
そして、増幅部３２は、加算範囲決定部３５から制御信号が入力されている期間に、受信部２から入力された受信波Ａを０．５倍に増幅して加算部３６へ出力する。一方、増幅部３２は、加算範囲決定部３５から制御信号が入力されない期間では、受信部２から入力される受信波Ａをそのまま加算部３６へ出力する。
【００７２】
また、遅延部３１は、図５に示すように、受信部２から入力された受信波Ａを有効シンボルＳＹの区間に相当する時間Ｔだけ遅延させることで遅延受信波Ａａを生成する。
【００７３】
そして、遅延部３１は、生成した遅延受信波Ａａを増幅部３３へ出力する。増幅部３３は、遅延部３１から入力された遅延受信波Ａａを０．５倍に増幅して加算部３６へ出力する。
【００７４】
また、遅延部３１は、生成した遅延受信波Ａａを減算部３４へ出力する。これにより、減算部３４には、図５に示すように、受信波Ａの有効シンボルＳＹにおける後尾部分のデータｓｙの先頭と、遅延受信波ＡａのガードインターバルＧＩの先頭とが同時刻に入力される。
【００７５】
続いて、減算部３４は、図６（Ａ）に示すように、受信波Ａおよび遅延受信波Ａａが入力されると、受信波Ａの信号レベルから遅延受信波ＡａにおけるガードインターバルＧＩの区間の信号レベルを減算する。
【００７６】
そして、減算部３４は、かかる減算結果を加算範囲決定部３５へ出力する。このとき、加算範囲決定部３５へは、図６（Ａ）に示す波形が減算結果として入力される。続いて、加算範囲決定部３５は、減算部３４から入力された減算結果に基づき、ガードインターバルＧＩの合成区間を決定する。
【００７７】
ここで、図６（Ａ）に示すように、遅延受信波ＡａのガードインターバルＧＩの先頭部分には、ＳＹａの成分１０が重畳されている。また、受信波Ａの有効シンボルＳＹの後尾部分には、ＧＩｂの成分１１が重畳されている。
【００７８】
このため、ＳＹａの成分１０が重畳されている区間では、受信波Ａおよび遅延受信波Ａａに含まれているデータは同一ではない。同様に、ＧＩｂの成分１１が重畳されている区間でも、受信波Ａおよび遅延受信波Ａａに含まれているデータは同一ではない。したがって、かかる区間における受信波Ａおよび遅延受信波Ａａの波形は、明らかに異なる。
【００７９】
一方、ＳＹａの成分１０およびＧＩｂの成分１１のいずれも成分も重畳されていない区間では、受信波Ａおよび遅延受信波Ａａに同一のデータが含まれている。したがって、かかる区間における受信波Ａおよび遅延受信波Ａａの波形は、ほぼ同一である。
【００８０】
このため、減算結果は、図６（Ａ）の波形に示すように、ＳＹａの成分１０やＧＩｂの成分１１が重畳されている区間と重畳されていない区間とで信号レベルに差分が生じる。
【００８１】
図６（Ａ）に示す例では、ＳＹａの成分１０やＧＩｂの成分１１が重畳されている区間の信号レベルの方が、重畳されていない区間の信号レベルよりも高い値を示している。
【００８２】
ここで、ＳＹａの成分１０およびＧＩｂの成分１１のいずれの成分も重畳されていない区間の減算結果の方が「０」に近いのは、かかる区間における受信波Ａおよび遅延受信波Ａａの波形がほぼ同一だからである。なお、図６（Ａ）に示す波形に歪が生じているのは、受信波Ａおよび遅延受信波Ａａへガウスノイズが重畳されているためである。
【００８３】
そして、加算範囲決定部３５は、かかる減算結果の差分からマルチパス影響無し区間を判定し、判定した区間をガードインターバルＧＩの合成区間として決定する。
【００８４】
ただし、前述のように、減算結果を示す波形には、ガウスノイズの影響で歪が生じている。減算結果を示す波形に歪が生じた場合、加算期間決定部３５によるマルチパス影響無し区間の判定精度が多少低下する。このため、加算期間決定部３５は、減算結果の波形を平滑化した上でマルチパス影響無し区間を判定することもできる。
【００８５】
たとえば、加算範囲決定部３５は、ガードインターバルの区間を所定数（たとえば、８等分）に分割した分割区間のそれぞれにおいて減算部３４による減算結果を移動平均する。
【００８６】
なお、図３では、減算結果の移動平均を行う回路の図示を省略しているが、移動平均を行う回路としては公知の技術を利用した任意の回路を用いることができる。たとえば、減算結果の移動平均を行うために必要な遅延回路を合成部３に備える構成とすることも可能である。
【００８７】
これにより、加算範囲決定部３５は、図６（Ｂ）に示すように、減算結果を示す波形からガウスノイズに起因した歪を除去することができる。続いて、加算範囲決定部３５は、減算結果を示す信号レベルと所定の閾値とを比較する。
【００８８】
そして、加算範囲決定部３５は、減算結果を示す信号レベルが所定の閾値以下の区間をマルチパス影響無し区間と判定し、判定した区間をガードインターバルＧＩの合成区間として決定する。
【００８９】
すなわち、加算範囲決定部３５は、同一の区間内で受信波Ａおよび遅延受信波Ａａの波形がほぼ同一の区間をマルチパス影響無し区間と判定し、かかる区間をガードインターバルＧＩの合成区間として決定する。
【００９０】
なお、図６では、ＳＹａの成分１０またはＧＩｂの成分１１が重畳されている区間の減算結果の方が、重畳されていない区間の減算結果よりも高い場合について説明したが、演算結果の大小関係が逆転する場合もありうる。
【００９１】
たとえば、ＳＹａの成分１０やＧＩｂの成分１１の信号レベルが希望波Ｂの信号レベルに比べて極端に高い場合、ＳＹａの成分１０やＧＩｂの成分１１が重畳されている区間の減算結果が負の値をとることがある。
【００９２】
かかる場合、ＳＹａの成分１０およびＧＩｂの成分１１のいずれの成分も重畳されていない区間の減算結果の方が、重畳されている区間の減算結果よりも高くなることがある。
【００９３】
ただし、かかる場合であっても、ＳＹａの成分１０およびＧＩｂの成分１１のいずれの成分も重畳されていない区間では、受信波Ａおよび遅延受信波Ａａはほぼ同一である。一方、ＳＹａの成分１０またはＧＩｂの成分１１が重畳されている区間では、受信波Ａおよび遅延受信波Ａａの信号波形は明らかに異なる。
【００９４】
したがって、ＳＹａの成分１０およびＧＩｂの成分１１のいずれの成分も重畳されていない区間の減算結果の方が、重畳されている区間の減算結果よりも「０」に近い値をとる。
【００９５】
このため、加算範囲決定部３５は、減算部３４による減算結果の絶対値と所定の閾値とを比較することで、ＳＹａの成分１０およびＧＩｂの成分１１のいずれの成分も重畳されていない区間を判定することができる。
【００９６】
すなわち、加算範囲決定部３５は、減算部３４による減算結果の絶対値が所定の閾値以下の区間をマルチパス影響無し区間として適切に判定することができる。
【００９７】
続いて、加算範囲決定部３５は、決定したガードインターバルＧＩの合成区間に対応する期間にのみ、加算部３６および増幅部３２へ所定の制御信号を出力する。
【００９８】
そして、増幅部３２は、加算範囲決定部３５から制御信号が入力されている期間に、受信部２から入力される受信波Ａを０．５倍に増幅して加算部３６へ出力する。また、増幅部３２は、加算範囲決定部３５から制御信号が入力されない期間では、受信部２から入力される受信波Ａをそのまま加算部３６へ出力する。
【００９９】
そして、加算部３６は、加算範囲決定部３５から制御信号が入力されている期間に、増幅部３２から入力される受信波Ａと増幅部３３から入力される遅延受信波ＡａのガードインターバルＧＩとを加算（合成）する。
【０１００】
たとえば、加算部３６は、図７（Ａ）に示すように、加算範囲決定部３５から時刻ｔａ〜ｔｂの期間のみ制御信号が入力された場合、時刻ｔａ〜ｔｂの期間のみ受信波Ａと遅延受信波Ａａとを合成してＦＦＴ部４へ出力する。一方、加算部３６は、時刻ｔａ〜ｔｂ以外の期間では、増幅器３２から出力される受信波ＡをそのままＦＦＴ部４へ出力する。
【０１０１】
これにより、合成部３は、図７（Ｂ）に示すように、受信波Ａの有効シンボルＳＹにおける後尾部分のデータｓｙに対して、マルチパスによるシンボル間干渉がない区間におけるガードインターバルｇｉを合成した合成波Ｅを生成することができる。
【０１０２】
このため、受信装置１は、マルチパスによるシンボル間干渉がない区間におけるガードインターバルｇｉを有効利用することにより、希望波Ｂの受信特性を向上させることができる。
【０１０３】
上述してきたように、本実施例に係る受信装置は、放送内容を含む有効シンボルの区間と、当該有効シンボルの一部を複製したガードインターバルの区間とを有する放送信号を受信する。
【０１０４】
続いて、本実施例に係る受信装置は、受信した放送信号におけるガードインターバルを有効シンボルの区間に相当する時間だけ遅延する。続いて、本実施例に係る受信装置は、遅延前の放送信号における有効シンボルの後尾部分の信号レベルからガードインターバルＧＩの信号レベルを減算する。
【０１０５】
続いて、本実施例に係る受信装置は、信号レベルの減算結果に基づく値を所定の閾値と比較する。そして、本実施例に係る受信装置は、かかる減算結果に基づく値が所定の閾値以下となるガードインターバルの区間を、有効シンボルへ合成するガードインターバルの合成区間として決定する。
【０１０６】
このように、本実施例に係る受信装置によれば、放送信号の遅延プロファイリングを行わなくても、マルチパスによるシンボル間干渉のないガードインターバルの区間を判定することができる。
【０１０７】
このため、本実施例に係る受信装置によれば、比較的回路規模の大きな遅延プロファイル部を設けなくとも、有効シンボルとマルチパスの影響のない区間のガードインターバルとを合成することができる。
【０１０８】
また、本実施例に係る受信装置では、シンボル間干渉のないガードインターバルの区間を判定する場合、受信した放送信号を有効シンボルの区間に相当する時間遅延させるだけでよい。
【０１０９】
このため、本実施例に係る受信装置によれば、受信した放送信号の遅延プロファイリングを行う場合のように、受信した複数の有効シンボルを一時記憶して遅延させる必要がないため、処理の高速化を図ることができる。
【０１１０】
また、本実施例に係る受信装置は、減算部による減算結果を平滑化した上で減算結果と所定の閾値とを比較し、減算結果または減算結果の絶対値が所定の閾値以下の区間をガードインターバルの合成区間として決定する。
【０１１１】
このため、本実施例に係る受信装置によれば、受信した放送信号にガウスノイズ等のノイズが混入した場合であっても、ガードインターバルの合成区間を適切に決定することができる。
【符号の説明】
【０１１２】
１  受信装置
２  受信部
３  合成部
４  ＦＦＴ部
５  復調部
６  出力装置
３１  遅延部
３２  増幅部
３３  増幅部
３４  減算部
３５  加算範囲決定部
３６  加算部
【図１】
0005563352.tif 000002
【図２】
0005563352.tif 000003
【図３】
0005563352.tif 000004
【図４】
0005563352.tif 000005
【図５】
0005563352.tif 000006
【図６】
0005563352.tif 000007
【図７】
0005563352.tif 000008